(57)【特許請求の範囲】
【請求項１】
所定の図形を描くためのテンプレート定規及びこれとともに用いるガイドからなるセットであって、
前記ガイドに沿って360度の3等分以上の等分の角度ごとに固定して前記テンプレート定規を回転させることにより、前記テンプレート定規は、回転中心が一定で、かつ、前記等分の角度でのみ回転し、
前記テンプレート定規の窓孔のうちの窓枠の部分に沿って、前記各回転角度ごとに同一の図形を描画することにより、１回転で前記所定の図形が描かれ、
仮に前記テンプレート定規及びこれとともに用いるガイドからなるセットを使用することなく１つのテンプレート定規で描いた場合に、開穿されると想定される窓孔のうちの窓枠における180度より大きく360度より小さい角部分をなす窓枠の部分が、前記テンプレート定規及びこれとともに用いるガイドからなるセットにおける前記各回転角度ごとの一の窓孔のうちの窓枠における0度より大きく180度より小さい角部分をなす描画すべき位置のみに示された描画指示線を有する窓枠の部分により構成されており、かつ、前記開穿されると想定される窓孔のうちの前記部分の以外の部分が、前記テンプレート定規及びこれとともに用いるガイドからなるセットにおける前記各回転角度ごとの他の窓孔のうちの窓枠における0度より大きく180度より小さい角部分をなす描画すべき位置のみに示された描画指示線を有する窓枠の部分により構成されていることにより、前記想定される窓孔のうちの窓枠における180度より大きく360度より小さい角部分をなす窓枠の部分に沿うことなく、前記所定の図形が描かれる
ことを特徴とするテンプレート定規及びこれとともに用いるガイドからなるセット。
【請求項２】
前記各回転角度ごとの前記窓孔に分担されている一の線が、前記各回転角度ごとの前記窓孔に分担されている環状に閉じた他の線の内側に描画されるべく、前記各窓孔のうちの窓枠の部分が配置されている
ことを特徴とする請求項１に記載のテンプレート定規及びこれとともに用いるガイドからなるセット。
【発明の詳細な説明】
【技術分野】
【０００１】
本発明は、曼荼羅模様その他の所定の図形を描くことができるテンプレート定規に関するものである。
【背景技術】
【０００２】
円や三角形などの所定の図形を描くための文房具としてテンプレート定規が用いられている。また、ＳＰＩＲＯＧＲＡＰＨ（登録商標）と呼ばれる曲線による幾何学模様を描くための定規の玩具がある。
【０００３】
先行技術に、固定枠（１）とその中を回転するプレート（２）、及び同プレート（２）に孔（３）を設ける事を特徴とする回転定規があるが（特許文献１参照）、特定の角度ごとに回転するプレートを固定することや、その回転ごとに同一の図形を描くことについては記載も示唆もされていない。
【先行技術文献】
【特許文献】
【０００４】
【特許文献１】特開平7-314989号公報
【発明の概要】
【発明が解決しようとする課題】
【０００５】
解決しようとする問題点の第１は、曼荼羅文様等を描くことができるテンプレート定規を提供することである。
【０００６】
解決しようとする問題点の第２は、テンプレート定規の図形が開穿された窓孔のうちの窓枠における180度より大きく360度より小さい角を構成する部分にはペン先が当たらないため、はみ出してしまうことである。
【０００７】
解決しようとする問題点の第３は、二重丸のように、描くべき所定の図形の一の線が、環状に閉じた他の線の内側に描画される場合において、ガイドに沿って固定しないテンプレート定規に該一の線に対応する窓孔と該他の線に対応する窓孔とを有する場合には、位置合わせが困難になることである。
【課題を解決するための手段】
【０００８】
本発明は、所定の図形を描くためのテンプレート定規及びこれとともに用いるガイドからなるセットであって、該ガイドに沿って360度の3等分以上の等分の角度ごとに固定して該テンプレート定規を回転させることにより、該テンプレート定規は、回転中心が一定で、かつ、該等分の角度でのみ回転し、該テンプレート定規の窓孔のうちの窓枠の部分に沿って、該各回転角度ごとに同一の図形を描画することにより、１回転で該所定の図形が描かれることを特徴の第１とする。
【０００９】
本発明は、仮に該テンプレート定規及びこれとともに用いるガイドからなるセットを使用することなく１つのテンプレート定規で描いた場合に、開穿されると想定される窓孔のうちの窓枠における180度より大きく360度より小さい角部分をなす窓枠の部分が、該テンプレート定規及びこれとともに用いるガイドからなるセットにおける該各回転角度ごとの窓孔のうちの窓枠における0度より大きく180度より小さい角部分をなす描画すべき位置のみに示された描画指示線を有する窓枠の部分により構成されていることを特徴の第２とする。
【００１０】
本発明は、該所定の図形の一の線が、環状に閉じた他の線の内側に描画される場合に、該一の線と該他の線とを描画するための該テンプレート定規の該窓孔が、該各回転角度ごとの該窓孔に分担されていることを特徴の第３とする。
【発明の効果】
【００１１】
本発明のテンプレート定規及びこれとともに用いるガイドからなるセットは、該特徴の第１を有するため、曼荼羅文様等を描くことができるテンプレート定規を提供することができるという利点がある。
【００１２】
本発明のテンプレート定規及びこれとともに用いるガイドからなるセットは、該特徴の第２を有するため、テンプレート定規の図形が開穿された窓孔のうちの窓枠における180度より大きく360度より小さい角を構成する部分にはペン先が当たらないため、はみ出してしまうという問題が解消されるという利点がある。
【００１３】
本発明のテンプレート定規及びこれとともに用いるガイドからなるセットは、該特徴の第３を有するため、二重丸のように、描くべき所定の図形の一の線が、環状に閉じた他の線の内側に描画される図形を、位置合わせの困難性が解消されて容易に描くことができるという利点がある。
【図面の簡単な説明】
【００１４】
【図１】本発明の実施例の360度の８等分の角度でのみ回転する場合のテンプレート定規とそのガイド形状の一例の平面図
【図２】本発明の実施例の360度の８等分の角度でのみ回転する場合のテンプレート定規とそのガイド形状の一例の平面図
【図３】本発明の実施例の360度の８等分の角度でのみ回転する場合のテンプレート定規とそのガイド形状の一例の平面図
【図４】本発明の実施例の360度の８等分の角度でのみ回転する場合のテンプレート定規の窓孔部分の一例
【図５】本発明の実施例の360度の８等分の角度でのみ回転する場合のテンプレート定規の窓孔部分の一例
【図６】本発明の実施例の360度の８等分の角度でのみ回転する場合のテンプレート定規とそのガイドの一例を１回転させたときの各角度での平面図
【図７】本発明の実施例の360度の８等分の角度でのみ回転する場合のテンプレート定規を１回転させたときに各角度において描かれる図形
【図８】本発明の実施例の360度の８等分の角度でのみ回転する場合のテンプレート定規を１回転させたときに各角度において累積的に描かれる図形
【図９】本発明の実施例の所定の図形の完成図
【発明を実施するための形態】
【００１５】
曼荼羅文様等を描くことができるテンプレート定規を実現した。
請求項１に記載の「窓孔」とは「窓の孔」を意味し、「窓枠」とは「窓の枠」を意味する。すなわち、「窓孔」とはテンプレート定規の孔の外周部乃至中央部を意味し、「窓枠」とはその「孔」の「枠」の部分（孔の外周部を構成する部分）を意味する。
請求項１に記載の「360度の3等分以上の等分の角度」とは、3等分、4等分、5等分、6等分、7等分、8等分、、、のように3以上の自然数を意味する。したがって、3等分の場合は、「前記テンプレート定規」は１２０度ごとに回転し、4等分の場合は、「前記テンプレート定規」は９０度ごとに回転し、5等分の場合は、「前記テンプレート定規」は７２度ごとに回転し、6等分の場合は、「前記テンプレート定規」は６０度ごとに回転し、7等分の場合は、「前記テンプレート定規」は５１．４度ごとに回転し、8等分の場合は、「前記テンプレート定規」は４５度ごとに回転する。
請求項１の「180度より大きく360度より小さい角部分をなす窓枠の部分」と「0度より大きく180度より小さい角部分をなす描画すべき位置のみに示された描画指示線を有する窓枠の部分」とは、その窓枠により描画されるべき線に基づくものであり、例えば、「180度より大きく360度より小さい角部分をなす窓枠の部分」と「0度より大きく180度より小さい角部分をなす描画すべき位置のみに示された描画指示線を有する窓枠の部分」とがいずれも該窓枠の右側にペンを当てて描く場合のみならず、「180度より大きく360度より小さい角部分をなす窓枠の部分」を該窓枠の左側にペンを当てて描く場合で、「0度より大きく180度より小さい角部分をなす描画すべき位置のみに示された描画指示線を有する窓枠の部分」を該窓枠の右側にペンを当てて描く場合のように、描画されるべき線の左右に平行となる場合も含む。
【実施例】
【００１６】
図１から図９は、本発明の請求項１から請求項２の実施例である。図１は、本発明の実施例の360度の８等分の角度でのみ回転する場合のテンプレート定規とそのガイド形状の一例の平面図である。図２は、本発明の実施例の360度の８等分の角度でのみ回転する場合のテンプレート定規とそのガイド形状の一例の平面図である。図３は、本発明の実施例の360度の８等分の角度でのみ回転する場合のテンプレート定規とそのガイド形状の一例の平面図である。図４は、本発明の実施例の360度の８等分の角度でのみ回転する場合のテンプレート定規の窓孔部分の一例である。図５は、本発明の実施例の360度の８等分の角度でのみ回転する場合のテンプレート定規の窓孔部分の一例である。図６は、本発明の実施例の360度の８等分の角度でのみ回転する場合のテンプレート定規とそのガイドの一例を１回転させたときの各角度での平面図である。図７は、本発明の実施例の360度の８等分の角度でのみ回転する場合のテンプレート定規を１回転させたときに各角度において描かれる図形である。図８は、本発明の実施例の360度の８等分の角度でのみ回転する場合のテンプレート定規を１回転させたときに各角度において累積的に描かれる図形である。図９は、本発明の実施例の所定の図形の完成図である。
【００１７】
本発明の実施例の図１、図２又は図３は、図９に示す図形を描くためのテンプレート定規１０１及びこれとともに用いるガイド１０２からなるセットであって、ガイド１０２に沿って360度の８等分の角度ごとに固定してテンプレート定規１０１を回転させることにより、テンプレート定規１０１は、回転中心が一定で、かつ、８等分の角度でのみ回転し、テンプレート定規１０１の窓孔のうちの窓枠に示された描画指示線を有する窓枠の部分に沿って、該各回転角度ごとに同一の図形を描画することにより、１回転で図９に示す図形が描かれる。かかるガイド１０２の形状は一例を示したものであり、歯車形状や波状など様々な例が考えられることは言うまでもない。
【００１８】
本発明の実施例の図４又は図５は、図９に示す図形を描くためのテンプレート定規及びこれとともに用いるガイドからなるセットであって、360度の８等分の角度でのみ回転する場合のテンプレート定規の窓孔部分の一例である。
図９の描画線１０３Ａを、仮に本実施例のテンプレート定規及びこれとともに用いるガイドからなるセットを使用することなく１つのテンプレート定規で描いた場合に、開穿されると想定される窓孔は、図示しないが、窓孔１０４Ａと同一のものとなる。該想定される窓孔のうちの窓枠における180度より大きく360度より小さい角部分をなす窓枠の部分にはペン先が当たらないため、はみ出してしまう。
図９の描画線１０３Ａを、実施例の図４又は図５に示す、窓孔１０４Ａのうちの窓枠における0度より大きく180度より小さい角部分をなす描画すべき位置のみに示された描画指示線１０５を有する窓枠の部分と、窓孔１０４Ｂのうちの窓枠における0度より大きく180度より小さい角部分をなす描画すべき位置のみに示された描画指示線１０５を有する窓枠の部分とに沿って、それぞれ回転角度０度のときと、回転角度４５度のときとにおいて描画することにより、描画すべき窓枠の部分に180度より大きく360度より小さい角を構成する部分が生じないようにしているため、該想定される窓孔のうちの窓枠における180度より大きく360度より小さい角部分をなす窓枠の部分に沿うことなく、該所定の図形が描かれ、窓孔のうちの窓枠における180度より大きく360度より小さい角部分で窓枠にペン先が当たらず、はみ出してしまうという問題が解消される。
図４は、すべての窓孔のうちの窓枠について、描画指示線で示された窓枠の部分に沿って描画するという描画ルールに従って描画する場合の窓孔部分の一例である。
図５は、描画指示線を有する窓孔の場合は描画指示線で示された窓枠の部分に沿って描画し、描画指示線を有しない窓孔の場合は窓枠全体に沿って描画するという描画ルールに従って描画する場合の窓孔部分の一例である。
図５の例の場合は、描画指示線を有する窓孔であるか否かの判断が必要になるのに対して、図４の例の場合はすべての窓孔のうちの窓枠について、描画指示線で示された窓枠の部分に沿って描画すれば良いため、使用者が迷うことがない。
【００１９】
図９の描画線１０３Ｂは、環状に閉じた描画線１０３Ｃの内側に描画されるため、本発明のテンプレート定規を用いないで、ガイドに沿って固定しないテンプレート定規に窓孔１０４Ｃ及び窓孔１０４Ｄと同一形状の窓孔を有する場合には、位置合わせが困難になる。
本実施例のテンプレート定規１０１及びこれとともに用いるガイド１０２からなるセットを用いて、窓孔１０４Ｃのうちの窓枠と、窓孔１０４Ｄのうちの窓枠とに沿って、それぞれ回転角度０度のときと、回転角度２７０度のときとにおいて描画することにより、位置合わせの困難性が解消されて容易に描くことができる。
【００２０】
図６に本発明の実施例の360度の８等分の角度でのみ回転する場合のテンプレート定規を１回転させたときの各角度における該テンプレート定規の状態を示し、図７に該各角度において描かれる図形を示し、図８に該各角度において累積的に描かれる図形を示した。図８の３１５度で描かれる図形が図９に示す本発明の実施例の図形の完成図となる。
【００２１】
以上が、請求項１から請求項２に記載のテンプレート定規及びこれとともに用いるガイドからなるセットの主な構成である。
【産業上の利用可能性】
【００２２】
本発明のテンプレート定規及びこれとともに用いるガイドからなるセットは、文房具として、及び、知育玩具として、特に有用である。
【符号の説明】
【００２３】
１０１      テンプレート定規
１０２      ガイド
１０３Ａ    描画線
１０３Ｂ    描画線
１０３Ｃ    描画線
１０４      窓孔
１０４Ａ    窓孔
１０４Ｂ    窓孔
１０４Ｃ    窓孔
１０４Ｄ    窓孔
１０５      描画指示線
【要約】      （修正有）【課題】曼荼羅文様等を描くことができるテンプレート定規を提供する。【解決手段】テンプレート定規１０１及びこれとともに用いるガイド１０２からなるセットであって、ガイドに沿って３６０度の８等分の角度ごとに固定してテンプレート定規を回転させることにより、テンプレート定規は、回転中心が一定で、かつ、８等分の角度でのみ回転し、テンプレート定規の窓孔のうちの窓枠に示された描画指示線を有する窓枠の部分に沿って、各回転角度ごとに同一の図形を描画することにより、１回転で曼荼羅文様等が描かれる。【選択図】図１【図１】
0006945197.tif 000002
【図２】
0006945197.tif 000003
【図３】
0006945197.tif 000004
【図４】
0006945197.tif 000005
【図５】
0006945197.tif 000006
【図６】
0006945197.tif 000007
【図７】
0006945197.tif 000008
【図８】
0006945197.tif 000009
【図９】
0006945197.tif 000010